(57)【要約】      （修正有）【課題】見守り対象者の意図が反映された適切な通知が管理者になされるようにする検出装置、管理装置、見守りシステム及びプログラムを提供する。【解決手段】ビーコンリーダ１はビーコンの接近及びスイッチＳＷのタッチの双方が検出されると、通知内容選択部１７は、検出されたタッチパターンに応じた管理者への通知内容を選択する。通知実行部１９は、選択された内容の通知を管理者に対して行う。【選択図】図２
2016218583.tif 000002
【特許請求の範囲】
【請求項１】
所定の場所に設置されている検出装置であって、
自機に固有の識別子を含む発信信号を発信する携帯端末機から発信された上記発信信号を受信する発信信号受信部と、
受信された上記発信信号に含まれる上記識別子を検出する識別子検出部と、
上記検出装置に対する見守り対象者のアクションを検出するアクション検出部と、
上記識別子および上記アクションの双方が検出された場合、検出された上記アクションのパターンに応じた通知内容を選択する選択部と、
選択された通知内容の通知を上記見守り対象者の管理者に対して行う通知部と、を備えていることを特徴とする検出装置。
【請求項２】
スイッチをさらに備えており、
上記アクション検出部は、上記アクションとして上記スイッチに対するタッチを検出することを特徴とする請求項１に記載の検出装置。
【請求項３】
上記アクション検出部は、受信された上記発信信号の電波強度の変化に基づき、上記アクションを検出することを特徴とする請求項１または２に記載の検出装置。
【請求項４】
検出された上記アクションに対する応答を出力する応答部をさらに備えていることを特徴とする請求項１または２に記載の検出装置。
【請求項５】
上記見守り対象者が属するグループを検出するグループ検出部をさらに備えており、
上記選択部は、上記グループが検出された場合、上記グループ用の上記通知内容を選択することを特徴とする請求項１〜４のいずれか１項に記載の検出装置。
【請求項６】
所定の場所に設置された検出装置によって検出された、携帯端末機の識別子と、上記検出装置に対する見守り対象者のアクションのパターンとを上記検出装置から受信する受信部と、
受信された上記パターンに応じた通知内容を選択する選択部と、
選択された上記通知内容の通知を上記見守り対象者の管理者に対して行う通知部とを備えていることを特徴とする管理装置。
【請求項７】
管理装置と、所定の場所に設置されている検出装置とを備えているシステムであって、
上記検出装置は、
自機に固有の識別子を含む発信信号を発信する携帯端末機から発信された上記発信信号を受信する発信信号受信部と、
受信された上記発信信号に含まれる上記識別子を検出する識別子検出部と、
上記検出装置に対する見守り対象者のアクションを検出するアクション検出部と、
検出された上記識別子および上記アクションのパターンを上記管理装置に送信する送信部とを備えており、
上記管理装置は、
上記検出装置から送信された上記識別子および上記アクションのパターンを受信する受信部と、
受信された上記パターンに応じた通知内容を選択する選択部と、
選択された通知内容の通知を上記見守り対象者の管理者に対して行う通知部とを備えていることを特徴とする見守りシステム。
【請求項８】
請求項１から４のいずれか一項に記載の検出装置としてコンピュータを機能させるためのプログラムであって、コンピュータを上記各部として機能させるためのプログラム。
【発明の詳細な説明】
【技術分野】
【０００１】
本発明は、発信信号を発信する携帯端末機を携帯する見守り対象者を見守るために用いられる検出装置、管理装置、見守りシステム、およびプログラムに関する。
【背景技術】
【０００２】
昨今、通学路での児童の事故や犯罪が多発することから、登下校時の児童の安全監視が課題となっている。さらには、児童の交友関係に起因する様々な問題も発生していることから、その対応も求められている。このような状況下において、従来、児童の見守りに活用され得る各種のシステムが提供されている。
【０００３】
ある種の従来システムでは、緊急通報用の設備が利用される。この設備は、防犯用ポール（特許文献１）または防犯灯（特許文献２）などのように、様々な形態をとり得る。異常の発生時、児童がこの設備に対して緊急通報用の操作を行うと、異常事態の発生が規定の管理者（セキュリティ会社、保護者等）に通知される。
【０００４】
他の種の従来システムでは、様々な場所において児童を検出するための、児童によって携帯される規定のデバイスが利用される。このデバイスは、無線タグ（特許文献３および４）またはスマートフォンなどのように、様々な形態を取り得る。この種のシステムは、たとえば児童の登下校を監視したり検出したりする目的で用いられる。
【先行技術文献】
【特許文献】
【０００５】
【特許文献１】特開２００２−２８８７６４号公報（２００２年１０月４日公開）
【特許文献２】特開２０１２−１１３３４６号公報（２０１２年６月１４日公開）
【特許文献３】特開２００８−１０２７５１号公報（２００８年５月１日公開）
【特許文献４】特開２００５−１８２４６９号公報（２００４年７月７日公開）
【発明の概要】
【発明が解決しようとする課題】
【０００６】
これらの従来システムにはいくつかの課題がある。緊急通報のための設備は、それが設置される場所での異常発生を知らせるためのみに用いられる。児童が犯罪または事故などの明らかな非常事態に巻き込まれない限り、この設備を通じた通報を利用することはできない。防犯目的の緊急通報以外の通報は、いたずらまたは誤通報とみなされるので、この設備の利用シーンは限られており、設備が有効される余地が狭いと言える。通報者の確認は基本的には通話によって行われるので、通報者の正確な特定が難しい場合がある。緊急事態の状況を詳細に確認できないことを理由に、通報がいたずらまたは誤報として扱われ得る。緊急通報をすべきか否かの判断基準は個人によって異なるので、状況が不確定であれば児童が緊急通報をためらってしまう恐れもある。
【０００７】
児童に携帯される無線タグ等のデバイスは、児童の意志によらず発信信号を出力する。検出機器が校門に設置される形態では、下校時に児童が校門を通過すると無線タグからの発信信号が検出され、その結果、児童を検出したこと（児童が下校を開始したこと）が児童の意志に関わらず受け取り側（保護者等）に必ず通知される。このような日常的な通知は受け取り側に煩わしさを与えかねない。本人の意図に関わらず自身の存在が検出されかつ通知されることに嫌悪感を覚える児童も少なからずいる。
【０００８】
本発明の上記の課題を解決するためになされたものである。そしてその目的は、見守り対象者の意図が反映された適切な通知が管理者になされる検出装置、管理装置、および見守りシステム、およびプログラムを提供することにある。
【課題を解決するための手段】
【０００９】
本発明の一態様に係る検出装置は、上記の課題を解決するために、所定の場所に設置されている検出装置であって、自機に固有の識別子を含む発信信号を発信する携帯端末機から発信された上記発信信号を受信する発信信号受信部と、受信された上記発信信号に含まれる上記識別子を検出する識別子検出部と、上記検出装置に対する見守り対象者のアクションを検出するアクション検出部と、上記識別子および上記アクションの双方が検出された場合、検出された上記アクションのパターンに応じた通知内容を選択する選択部と、選択された通知内容の通知を上記見守り対象者の管理者に対して行う通知部と、を備えていることを特徴としている。
【発明の効果】
【００１０】
本発明の一態様によれば、見守り対象者の意図が反映された適切な通知が管理者になされるという効果を奏する。
【図面の簡単な説明】
【００１１】
【図１】本発明の実施形態１に係る児童見守りシステムの要部構成を示すブロック図である。
【図２】本発明の実施形態１に係るビーコンリーダの要部構成を示す図である。
【図３】本発明の実施形態１に係る児童見守りシステムにおける児童検出およびグループ検出の態様を示す図である。
【図４】本発明の実施形態１に係る児童見守りシステムにおける児童またはグループの検出処理およびその検出結果に応じた管理者への通知処理を説明するフローチャートである。
【図５】本発明の実施形態１に係る児童見守りシステムにおける、タッチパターンごとの児童検出およびグループ検出の態様を示す図である。
【図６】本発明の実施形態２に係る児童見守りシステムの要部構成を示すブロック図である。
【図７】本発明の実施形態２に係るビーコンリーダの要部構成を示す図である。
【図８】本発明の実施形態２に係るサーバの要部構成を示すブロック図である。
【発明を実施するための形態】
【００１２】
本発明の一実施形態を図１〜図７に基づき以下に説明する。
【００１３】
（児童見守りシステム１００の概要）
児童見守りシステム１００の概要について説明する。本実施形態に係る児童見守りシステム１００は、学校内外において児童（見守り対象者）を見守るために利用されるシステムである。児童見守りシステム１００は、児童の意図的なアクション（たとえばスイッチへのタッチ）を検出し、さらに、検出されたアクションのパターンに応じた内容の通知を児童の管理者に対して行う。
【００１４】
（児童見守りシステム１００の構成）
本実施形態に係る児童見守りシステム１００の構成について、図１を参照して説明する。図１は、本実施形態に係る児童見守りシステム１００の要部構成を示すブロック図である。この図に示すように、児童見守りシステム１００は、複数のビーコン２（携帯端末機）および１つのビーコンリーダ３（検出装置）を備えている。
【００１５】
各ビーコン２は、各児童を検出するために児童見守りシステム１００において用いられる。本実施形態では、ビーコン２は、自機に固有のビーコンＩＤ（識別子）を含む発信信号（ビーコン電波）を定期的（たとえば１００ｍｓごと）に発信するＩＣタグである。各児童は、自身に支給されたビーコン２を、少なくとも登下校時および学校内において常時携帯している。ビーコン２の消費電力は低いため、各児童はビーコン２を長期間使用することができる。
【００１６】
ビーコンリーダ１は、自機から所定の距離内に位置するビーコン２を検出する装置である。ビーコンリーダ１は、学校内における所定の場所に設置される。所定の場所とは、たとえば教室、体育館、音楽室、および図工室などが挙げられる。ビーコンリーダ１は、学校外の場所、たとえば児童の通学路に設置されてもよい。本実施形態では所定の場所ごとに１台のビーコンリーダ１が設置され、そのビーコンリーダ１がその場所に存在する各ビーコン２から発信された発信信号を受信する。なお、ビーコンリーダ１は、受信した発信信号の電波強度（ＲＳＳＩ：Received Signal Strength Indication）に基づき、ビーコンリーダ１とビーコン２との間の距離を推定する。
【００１７】
ビーコンリーダ１の構成について、図２を参照して説明する。図２は、本実施形態に係るビーコンリーダ１の要部構成を示す図である。図２に示すように、ビーコンリーダ１は、アンテナＡＴ、スイッチＳＷ、ビーコン受信部１１（発信信号受信部）、ビーコンＩＤ検出部１２（識別子検出部）、電波強度測定部１３、個人特定部１４、グループ検出部１５、タッチ検出部１６（アクション検出部）、通知内容選択部１７（選択部）、タッチ応答部１８（応答部）、および通知実行部１９（通知部）を備えている。各部材の詳細は後述する。
【００１８】
（検出の態様）
図３は、本実施形態に係る児童見守りシステム１００における児童検出およびグループ検出の態様を示す図である。
【００１９】
図３の（ａ）は、ビーコンリーダ１が特定の児童を検出する例である。ビーコン２を所持する一人の児童がビーコンリーダ１に近づき、スイッチＳＷをタッチする。ビーコンリーダ１は、ビーコン２から発信されたビーコン信号（発信信号）を受信し、その信号に含まれるビーコンＩＤを検出する。さらに、児童によるスイッチＳＷのタッチも検出する。
【００２０】
図３の（ｂ）は、ビーコンリーダ１が、複数の児童が属する特定のグループを検出する例である。ビーコン２を所持する複数の児童が、いずれもビーコンリーダ１に近づき、グループの代表者がスイッチＳＷをタッチする。ビーコンリーダ１は、各ビーコン２から発信された各ビーコン信号を受信し、それらに含まれる各ビーコンＩＤを検出する。さらに、代表者によるスイッチＳＷのタッチも検出する。スイッチＳＷをタッチした児童がグループの代表者であることを識別する方法は後述する。
【００２１】
ビーコンリーダ１は、スイッチＳＷのタッチおよびビーコン２の接近の双方を検出して初めて、検出したタッチパターンに応じた通知を管理者に対して行う。スイッチＳＷのタッチは検出されるが、ビーコン２の接近が検出されない（児童がビーコン２を所持していないか、または児童はビーコン２を所持しているがビーコンリーダ１に十分に近づいていない）場合、ビーコンリーダ１は原則として、検出したタッチ履歴を保存するのみであり、児童を検出したことは管理者に通知しない。ただし、非常事態または緊急事態に対応したパターンのタッチを検出した場合は、ビーコン２の接近検出の有無に関わらず必ず管理者に通知する。
【００２２】
（システムにおける処理の流れ）
図４は、児童見守りシステム１００における児童またはグループの検出処理およびその検出結果に応じた管理者への通知処理の流れを説明するフローチャートである。
【００２３】
まずビーコン受信部１１が、児童が所持するビーコン２から出力されたビーコン信号を受信する（ステップＳ１）。ビーコン受信部１１は、受信したビーコン信号をビーコンＩＤ検出部１２に出力する。ビーコンＩＤ検出部１２は、入力されたビーコン信号に含まれるビーコンＩＤを検出する（ステップＳ２）。ビーコンＩＤ検出部１２は、検出したビーコンＩＤを個人特定部１４に出力する。また、入力されたビーコン信号を電波強度測定部１３に出力する。
【００２４】
電波強度測定部１３は、入力されたビーコン信号の電波強度を測定し、規定の閾値と比較する。これにより、ビーコン信号の電波強度が閾値を超えるか否かを判定する（ステップＳ４）。
【００２５】
ステップＳ４における判定の結果がＮｏであれば、児童はビーコンリーダ１に十分に近づいていない。そこでビーコンリーダ１は、管理者に対する通知を行うことなく、図４に示す処理を終了する。このときビーコンリーダ１は必要に応じてビーコンＩＤの検出履歴を記録しておく。
【００２６】
一方、ステップＳ４における判定の結果がＹＥＳであれば、タッチ検出部１６が、スイッチＳＷへのタッチを検出したか否かを判定する（ステップＳ５）。ステップＳ５における判定の結果がＮｏであれば、児童はビーコンリーダ１に十分に近づいているが、通知の意図を示す児童のアクション（スイッチＳＷのタッチ）がなされていない。そこでビーコンリーダ１は、管理者に対する通知を行うことなく、図４に示す処理を終了する。このときビーコンリーダ１は必要に応じてビーコンＩＤの検出履歴を記録しておく。
【００２７】
一方、ステップＳ５における判定の結果がＹＥＳであれば、タッチ検出部１６は、検出したタッチパターンを通知内容選択部１７に通知する。次に個人特定部１４は、検出されたビーコンＩＤに対応するビーコン２を所持する個人（すなわち児童）を特定する（ステップＳ６）。ビーコンリーダ１には、ビーコンＩＤと、当該ビーコンＩＤに対応するビーコン２を所持する児童の個人情報（児童の氏名、所属グループ、グループの代表者か否か、管理者、保護者等）とが一対一の関係で対応付けられた管理テーブルが予め用意されており、個人特定部１４は、この管理テーブルを参照することによって個人を特定する。
【００２８】
個人の特定後、グループ検出部１５が、グループを検出した否かを判定する（ステップＳ７）。このときグループ検出部１５は、たとえば、個人特定部１４によって特定された児童の個人情報に、当該児童がグループの代表者であることを示す情報が含まれているか否かを判定する。含まれていればステップＳ７はＹＥＳであり、そうでなければＳ７はＮＯである。
【００２９】
ステップＳ７における判定の結果がＮｏであれば、通知内容選択部１７は、タッチパターンに応じた個人用の（すなわちグループ用ではない）通知内容を選択する（ステップＳ８）。ビーコンリーダ１には、タッチ検出部１６が検出可能な各タッチパターンと、これに対応する通知内容とを対応付けた管理テーブルが予め用意されており、通知内容選択部１７は、この管理テーブルを参照することによって通知内容を選択する。
【００３０】
ステップＳ８の後、タッチ応答部１８は、スイッチＳＷへのタッチ操作に対する応答を出力する（ステップＳ９）。このときタッチ応答部１８は、個人特定部１４によって特定された児童の個人情報を参照して、検出された児童に応じた応答を出力することができる。たとえば特定された児童の氏名を、図示しないディスプレイに表示する。これにより児童は、自身が正しくスイッチＳＷをタッチしたことを知ることができる。このようにタッチ応答部１８は、タッチ操作の受付を児童に知らせるために、スイッチＳＷのタッチを検出した場合、それに対する応答を児童に返す。応答は、画面表示、音声出力、またはランプ点灯などの任意の方法でなされる。画面には、タッチ操作を受け付けたことを示すメッセージ、文字、またはアニメーションを表示すればよい。
【００３１】
ステップＳ９の後、通知実行部１９は、選択された内容の通知を管理者に対して行う（ステップＳ１０）。このときたとえば、通知内容を文面として含む電子メールが管理者端末に送信される。管理者端末は、児童の管理者（学校内の教師、児童の保護者等）が操作する端末であり、具体的にはＰＣ（Personal Computer）またはスマートフォンなどとして実現される。管理者端末は受信した電子メール等に含まれる通知内容を画面に表示する。この結果、検出されたタッチパターンに応じた個人用の内容の通知が管理者に対してなされる。管理者はメッセージ等を視認することによって、通知内容を確認し、必要に応じて適切な対応を取る。
【００３２】
ステップＳ７における判定の結果がＹＥＳであれば、すなわち、グループが検出された場合、通知内容選択部１７は、タッチパターンに応じたグループ用の通知内容を選択する（ステップＳ１１）。この選択も、ステップＳ８と同様に管理テーブルを参照することによってなされる。この後、グループ検出部１５がグループメンバ（グループに属する他の児童）のビーコンＩＤ検出をビーコンＩＤ検出部１２に指示し、ビーコンＩＤ検出部１２は、入力されたビーコン信号から、指示されたグループに属する他の児童が所持するビーコン２に対応するビーコンＩＤを検出する。ビーコンＩＤ検出部１２は、検出した他の児童に対応する各ビーコンＩＤを個人特定部１４に出力する。
【００３３】
個人特定部１４は、入力された各児童に対応する各ビーコンＩＤから、各個人（各児童）を特定する（ステップＳ１３）。この特定も上述した管理テーブルを用いてなされる。この後、タッチ応答部１８は、スイッチＳＷへのタッチ操作に対する応答を出力する（ステップＳ９）。この応答は、グループに応じた内容のものであってもよい。ステップＳ１３の後、通知実行部１９は、選択された内容の通知を管理者に対して行う（ステップＳ１０）。この結果、検出されたタッチパターンに応じたグループ用の通知が管理者に対してなされる。
【００３４】
（タッチパターンごとの検出例）
図５は、本実施形態に係る児童見守りシステム１００における、タッチパターンごとの児童検出およびグループ検出の態様を示す図である。
【００３５】
図５の（ａ）は、児童またはグループが検出されない例である。ビーコンリーダ１は、ビーコン２の接近を検出するが、スイッチＳＷのタッチは検出しない。すなわちビーコンリーダ１は、児童の意図的なアクションを検出しない。このためビーコンリーダ１は、スイッチＳＷのタッチの検出のみでは、児童を検出したと決定しない。この結果、管理者への通知はなされない。
【００３６】
図５の（ｂ）は、一人の児童を検出する例である。Ｄ１では、ビーコンリーダ１は、ビーコン２の接近を検出し、さらに、スイッチＳＷへの１回のタッチを検出する（シングルタッチ操作）。Ｄ２では、ビーコンリーダ１は、ビーコン２の接近を検出し、さらに、スイッチＳＷへの２回の連続タッチを検出する（ダブルタッチ操作）。Ｄ３では、ビーコンリーダ１は、ビーコン２の接近を検出し、さらに、スイッチＳＷへの３回の連続タッチを検出する（トリプルタッチ操作）Ｄ４では、ビーコンリーダ１は、ビーコン２の接近を検出し、さらに、スイッチＳＷへの一定時間の連続的な押下継続を検出する（ホールド操作）。
【００３７】
Ｄ１〜Ｄ４のいずれも場合も、ビーコンリーダ１は特定の個人（児童）が所持するビーコン２の接近を検出し（複数のビーコン２の接近は検出しない）、かつ、この児童がグループの代表者ではないので、一人の児童を検出したことを決定する。また、ビーコンリーダ１は、検出したスイッチＳＷのタッチパターンに応じた内容の通知を、児童の管理者に対して行う。
【００３８】
図５の（ｃ）は、複数の児童が属するグループを検出する例である。Ｄ５〜Ｄ７において、ビーコン２Ａは、グループに属するある児童（グループのメンバ）によって所持され、ビーコン２Ｂは、グループに属する他の児童（グループの代表者）によって所持されるものである。
【００３９】
Ｄ５では、ビーコンリーダ１は、ビーコン２Ａおよびビーコン２Ｂの接近を両方とも検出する。ビーコンリーダ１はさらに、スイッチＳＷへの２回以上の連続タッチを検出する。これによりビーコンリーダ１は、グループを検出したことを決定する。
【００４０】
Ｄ６では、ビーコンリーダ１は、ビーコン２Ａおよびビーコン２Ｂのうち、ビーコン２Ｂの接近のみを検出する。ビーコンリーダ１はさらに、スイッチＳＷへの１回のタッチを検出する。グループの代表者が所持するビーコン２の接近が検出されているので、ビーコンリーダ１は、この１回のタッチはグループの代表者によるものであることを決定する。ビーコンリーダ１は、接近を検出したビーコン２は１つのみであるが、グループの代表者によるタッチを検出したことから、グループを検出したことを決定する。
【００４１】
Ｄ７では、ビーコンリーダ１は、ビーコン２Ａおよびビーコン２Ｂの接近の双方を検出する。さらに、スイッチＳＷへの１回のタッチを検出する。ビーコンリーダ１は、２つ以上のビーコン２の接近を検出し、かつ、スイッチＳＷへのタッチを検出したことから、グループを検出したことを決定する。
【００４２】
図５の（ｂ）および（ｃ）に示すように、ビーコンリーダ１は、少なくとも７種類の児童のタッチパターンを検出することができる。
【００４３】
本実施形態に係る児童見守りシステム１００では、児童がビーコンリーダ１に近づいただけでは通知がなされない。児童がビーコンリーダ１に近づきかつスイッチＳＷをタッチして初めて、児童を検出した旨の通知がなされる。したがって、児童が単にビーコンリーダ１に近づいただけでも通知がなされることを防止できる。また、児童がいたずら目的でビーコンリーダ１を操作することを抑制することもできる。さらには、児童見守りシステム１００をより積極的かつ日常的な利用に役立てることもできる。
【００４４】
ビーコンリーダ１は、受信したビーコン信号に含まれるビーコンＩＤから、このビーコン信号を送信したビーコン２を所持する児童を特定することができる。そのためビーコンリーダ１は、ビーコンリーダ１が設置されている場所に児童がいることを通知することができる。また、ビーコンリーダ１が設置されている場所を児童が離れることの意味を予め決めておくことによって、非常時の通知と日常的な通知とを適宜使い分けることができる。
【００４５】
児童見守りシステム１００は児童の緊急事態を保護者に通知する用途以外にも利用できる。児童がスイッチＳＷを積極的に押すことは児童の意図を伴うものであることから、児童見守りシステム１００は、児童と保護者とのコミュニケーションのきっかけを作る手助けともなる。たとえば、児童が何らかの作業または用事を終えたことを、ビーコンリーダ１に近づきスイッチＳＷを押すことによって、保護者に連絡することができる。さらには、同様の操作によって、児童は今から帰宅することを保護者に知らせることもできる。従来は、これらの連絡を実現するには電子メール機能を有するかまたはメッセージ交換アプリケーションを実行可能なデバイス（スマートフォン等）を児童が所持する必要があった。本実施形態では、児童はビーコン２を所持することによってこのような連絡を実現するので、スマートフォン等の高機能だが高価なデバイスを保護者が児童に買い与えずに済む。
【００４６】
（スイッチのタッチパターン）
児童によるスイッチＳＷのタッチには、たとえば以下のような態様があり得る。
【００４７】
１）児童が小学校の倉庫で片付けが終わった後にスイッチＳＷをタッチする。
【００４８】
２）児童が下校時の退室時に、スイッチＳＷをタッチする。児童がスイッチＳＷの１回タッチしたら、ビーコンリーダ１は規定の管理者に通知する。管理者は必要に応じて児童の自宅（保護者）に通知する。一方、児童がスイッチＳＷを２回タッチしたら、ビーコンリーダ１は児童の自宅に直接通知する（メール送信）。
【００４９】
３）児童が、非常時にスイッチＳＷをタッチする。危険発生時または安全確保時のいずれにも児童はスイッチＳＷをタッチし得る。児童は通知者を知らせるために、スイッチＳＷを長押しするか、または、３回以上続けてタッチする。非常時または緊急事態時のタッチによる通知は、児童の全管理者（学校の職員等）および家族（保護者等）への通知であり得る。
【００５０】
４）児童が、規定の場所を通過する際に、この場所に設置されたビーコンリーダ１のスイッチＳＷをタッチする。これにより児童がこの場所を通過したことが通知される。
【００５１】
５）児童は、あるグループの代表者である。当該児童を含むグループが規定の場所に集まったら、児童がスイッチＳＷをタッチする。これにより、グループがこの場所に集まったことが管理者に通知される。
【００５２】
以上のように、児童は、自発的に家族に通知したい意図（今から帰宅する意味）を持ってスイッチＳＷをタッチすることができる。特に、児童が、放課後に図書館または運動場で遊んで帰る場合、その施設の出口に設置されたビーコンリーダ１のスイッチＳＷをタッチするだけで、児童の保護者に通知することができる。
【００５３】
（処理の例）
ビーコンリーダ１は、スイッチＳＷに対する児童のタッチパターンに応じた処理を実行する。たとえば次の通りである。
【００５４】
１）スイッチＳＷのホールド操作：緊急通報がなされる。このタッチパターンが検出された場合、ビーコンリーダ１は、安全上の気になる場所を管理者に通知する。
【００５５】
２）シングルタッチ操作：児童の居場所が通知される。このタッチパターンが検出された場合、ビーコンリーダ１は、児童がビーコンリーダ１の設置場所に居ることを管理者に通知する。
【００５６】
３）ダブルタッチ操作：児童の作業または予定の終了が通知される。このタッチパターンが検出された場合、ビーコンリーダ１は、児童がビーコンリーダ１の設置場所における作業または予定を終了したことを、管理者に通知する。
【００５７】
４）トリプルタッチ操作：児童に関係する特定の管理者に対して通知がなされる。このタッチパターンが検出された場合、ビーコンリーダ１は、複数の管理者のうち特定の管理者（たとえば児童の保護者）にのみ、児童を検出したことを通知する。
【００５８】
５）４回以上の連続タッチ操作：児童による前回操作のキャンセルを受け付ける。このタッチパターンが検出された場合、ビーコンリーダ１は、前回検出したタッチパターンに基づく通知を行わない。その代わりに、操作のキャンセルを受け付けたことを、管理者に通知すると共に、その記録を残す。
【００５９】
以上の様に、ビーコンリーダ１は、単にビーコンＩＤを検出したりビーコン２の接近を検出したりするだけではなく、児童による意図的なアクションをスイッチＳＷのタッチとして検出する。その上で、児童のアクションのパターン（タッチパターン）に応じた内容の通知を管理者に対して行う。これによりビーコンリーダ１は、児童の意図に応じた通知（緊急事態通知、作業完了通知、通過通知等）を、選択的に行うことができる。従来のシステムでは、非常ボタンが押下された場合に単一の非常通知がなされるのみであり、管理者は、この通知が本当に非常事態を意味するのか否かを判断することが困難であった。その結果、些細な問題が見過ごされる恐れがあった。一方、本実施形態では管理者は通知の意味を判断する必要がないので、このような問題が生じることはない。
【００６０】
スイッチＳＷは、機械的スイッチ、電子的スイッチ、または光学スイッチなどの任意のスイッチであり得る。ビーコンリーダ１が児童のアクションを検出する手法は、スイッチＳＷへのタッチに限られず、ジェスチャ認識機能を用いてもよい。たとえば、カメラで撮影した児童の画像に対して所定の画像認識処理を実行することによって、児童のアクションを検出することもできる。あるいは、赤外線センサからの出力に基づき、児童のアクションを検出することもできる。
【００６１】
ビーコンリーダ１ａは、スイッチＳＷを備えていなくても、また、ジェスチャ検出機能を有していなくても、児童の意図を示すアクションを検出することができる。具体的には、ビーコンリーダ１ａは、ビーコン信号の電波強度の変化が規定のパターンを示したとき、児童のアクションを検出したことを決定する。たとえば、児童が通知の意思を持ってビーコンリーダ１ａに素早く近づいた場合、ビーコンリーダ１ａにおいて測定されるビーコン信号の電波強度は急速に増大するので、ビーコンリーダ１ａはこのような電波強度の急速な増大を測定した場合に、児童のアクションを検出したと決定すればよい。
【００６２】
ビーコンリーダ１は、普段はスリープ状態を維持してもよい。スイッチＳＷがタッチされたらそれに応答して一定時間起動し、ビーコン信号の受信、ビーコンＩＤの検出、および各種通信（管理者への通知を含む）をそれぞれ行う。これによりビーコンリーダ１をバッテリ駆動することができる。
【００６３】
ビーコンリーダ１ａは、検出されたビーコンＩＤから特定した個人（児童）に応じて、管理者への通知内容を変更してもよい。たとえば、児童Ｘを検出した場合には児童Ｘに応じた通知内容を選択し、一方、児童Ｙを選択した場合には児童Ｙに応じた通知内容を選択する。これにより、児童Ａおよび児童Ｂが共通のアクションをビーコンリーダ１ａに対して行ったとしても、異なる内容の通知が管理者になされる。このように、各児童に固有のビーコンＩＤが記録されたビーコン２を各児童に所持させることによって、ビーコンＩＤに応じた個人情報が共通のアクションに反映されるので、ビーコンリーダ１は検出した共通のアクションを個人別のアクションとして識別することができる。
【００６４】
グループには、各児童の先生（教師）が含まれていてもよい。この場合、タッチ応答部１８は、スイッチＳＷをタッチした者（教師または児童）に応じて異なる内容の応答を出力する。たとえば、タッチ応答部１８は、教師がスイッチＳＷをタッチしたことが検出された場合は、タッチに対する応答として、教師用の応答画面をディスプレイに表示する。一方、児童がスイッチＳＷをタッチしたことを検出した場合は、タッチに対する応答として、児童用の応答画面をディスプレイに表示する。なお、教師は教師用のビーコン２を所持しており、このビーコン２には教師に固有のビーコンＩＤが予め記録されている。ビーコンリーダ１ａは、検出したビーコンＩＤが教師に対応するものであり、かつ、スイッチＳＷへのタッチを検出した場合、教師がスイッチＳＷをタッチしたことを決定する。
【００６５】
児童見守りシステム１００は、家庭内においても利用可能である。この態様では、ビーコンリーダ１は児童の自宅の各部屋等に設置される。たとえば児童が自室から出る際にビーコンリーダ１のスイッチＳＷをタッチすれば、そのときのタッチパターンに応じた通知が児童の保護者（母親等）になされる。
【００６６】
〔実施形態２〕
本発明に係る実施形態２について、図６〜８に基づいて以下に説明する。上述した実施形態１と共通する各部材には同じ符号を付し、詳細な説明を省略する。
【００６７】
（児童見守りシステム２００の構成）
本実施形態に係る児童見守りシステム２００の構成について、図６を参照して説明する。図６は、本実施形態に係る児童見守りシステム２００の要部構成を示すブロック図である。この図に示すように、児童見守りシステム２００は、複数のビーコン２（携帯端末機）、１つのビーコンリーダ３（検出装置）、および１つのサーバ３（管理装置）を備えている。
【００６８】
児童見守りシステム２００において、各ビーコン２に本発明の実施形態１と同じである。本実施形態では、ビーコンリーダ１ａとサーバ３とが連携することによって、児童またはグループの検出、およびスイッチＳＷへのタッチパターンに応じた管理者への通知が実現される。具体的には、児童またはグループの検出はビーコンリーダ１ａによって行われ、タッチパターンに応じた通知内容の選択および管理者への通知はサーバ３によって行われる。
【００６９】
（ビーコンリーダ１ａの構成）
ビーコンリーダ１ａの構成について、図７を参照して説明する。図７は、本実施形態に係るビーコンリーダ１ａの要部構成を示す図である。図２に示すように、ビーコンリーダ１は、アンテナＡＴ、スイッチＳＷ、ビーコン受信部１１（受信部）、ビーコンＩＤ検出部１２、電波強度測定部１３、個人特定部１４、グループ検出部１５、タッチ検出部１６、タッチ応答部１８、および通信部２０（送信部）を備えている。
【００７０】
ビーコンリーダ１ａを構成する、通信部２０以外の全ての部材は実施形態１と基本的に同じである。本実施形態では、通信部２０は、児童またはグループを検出し、さらに、規定のタッチパターンを検出した場合、検出されたビーコンＩＤ、グループ検出の結果を示す情報、および検出されたタッチパターン（回数、長押し等）、および自機に固有のビーコンリーダＩＤ（ビーコンリーダ１ａに予め保存されている）を互いに関連付けて、サーバ３に送信する。
【００７１】
（サーバ３の構成）
サーバ３の構成について、図８を参照して以下に説明する。図８は、本実施形態に係るサーバ３の要部構成を示すブロック図である。この図に示すように、サーバ３は、通信部３１、通知内容選択部３２、および通知実行部３３を備えている。通知内容選択部３２および通知実行部３３は、本発明の実施形態１に係る通知内容選択部１７および通知実行部１９と基本的に同じである。通信部３１は、ビーコンリーダ１ａから受信したビーコンＩＤ等の各情報を、すべて通知内容選択部３２に出力する。通知内容選択部３２は、入力されたグループ検出結果情報がグループ検出無しを表す場合、入力されたタッチパターンに応じた個人用の通知内容を選択する。一方、入力されたグループ検出結果情報がグループ検出有りを表す場合、入力されたタッチパターンに応じたグループ用の通知内容を選択する。通知実行部３３は、受信されたビーコンＩＤに対応する児童の管理者（保護者等）に、選択された内容の通知を行う。
【００７２】
本実施形態では、サーバ３に通知内容の選択機能および通知機能が備わっているので、本発明の実施形態１に比べて、ビーコンリーダ１ａの構成をより簡素にすることができる。したがって、設置するビーコンリーダ１ａの数を増やせば増やすほど、児童見守りシステム２００の導入に要するコストをより削減できる。また、通知内容を選択するための管理テーブルをサーバ３のみに用意すればよいので、管理テーブルの更新の手間を削減することもできる。
【００７３】
〔ソフトウェアによる実現例〕
図２のビーコンリーダ１（または図７のビーコンリーダ１ａ）の各機能ブロックは、集積回路（ＩＣチップ）等に形成された論理回路（ハードウェア）によって実現してもよいし、ＣＰＵ（Central Processing Unit）を用いてソフトウェアによって実現してもよい。
【００７４】
後者の場合、ビーコンリーダ１（１ａ）は、各機能を実現するソフトウェアであるプログラムの命令を実行するＣＰＵ、上記プログラムおよび各種データがコンピュータ（又はＣＰＵ）で読み取り可能に記録されたＲＯＭ（Read Only Memory）または記憶装置（これらを「記録媒体」と称する）、上記プログラムを展開するＲＡＭ（Random Access Memory）等を備えている。そして、コンピュータ（またはＣＰＵ）が上記プログラムを上記記録媒体から読み取って実行することにより、本発明の目的が達成される。
【００７５】
上記記録媒体としては、「一時的でない有形の媒体」、例えば、テープ、ディスク、カード、半導体メモリ、プログラマブルな論理回路等を用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７６】
なお、図８に示すサーバ３も、ビーコンリーダ１ａと同様に論理回路またはプログラムによって実現してもよい。
【００７７】
〔まとめ〕
本発明の態様１に係る検出装置は、所定の場所に設置されている検出装置であって、自機に固有の識別子を含む発信信号を発信する携帯端末機から発信された上記発信信号を受信する発信信号受信部と、受信された上記発信信号に含まれる上記識別子を検出する識別子検出部と、上記検出装置に対する見守り対象者のアクションを検出するアクション検出部と、上記識別子および上記アクションの双方が検出された場合、検出された上記アクションのパターンに応じた通知内容を選択する選択部と、選択された通知内容の通知を上記見守り対象者の管理者に対して行う通知部と、を備えていることを特徴としている。
【００７８】
上記の構成によれば、携帯端末機を所持する見守り対象者が検出装置に近づき、かつ、自身の何らかの意図を示すアクションを検出装置に提示すれば、検出装置において検出された見守り対象者のアクションのパターンに応じた通知が、検出装置から見守り対象者の管理者に対してなされる。したがって、見守り対象者の意図が反映された適切な通知が管理者になされることが実現される。
【００７９】
本発明の態様２に係る検出装置は、上記態様１において、スイッチをさらに備えており、上記アクション検出部は、上記アクションとして上記スイッチに対するタッチを検出することを特徴としている。
【００８０】
上記の構成によれば、携帯端末機を所持する見守り対象者が検出装置に近づきスイッチをタッチすれば、タッチパターンに応じた適切な通知が管理者になされる。
【００８１】
本発明の態様３に係る検出装置は、上記態様１または２において、上記アクション検出部は、受信された上記発信信号の電波強度の変化に基づき、上記アクションを検出することを特徴としている。
【００８２】
上記の構成によれば、スイッチ等を備える場合に比べて検出装置の構成をより簡素にすることができる。
【００８３】
本発明の態様４に係る検出装置は、上記態様１または２において、検出された上記アクションに対する応答を出力する応答部をさらに備えていることを特徴としている。
【００８４】
上記の構成によれば、検出装置に対する見守り対象者のアクションの提示が検出装置において受け付けられたことを見守り対象者に知らせることができる。
【００８５】
本発明の態様５に係る検出装置は、上記態様１〜４において、上記見守り対象者が属するグループを検出するグループ検出部をさらに備えており、上記選択部は、上記グループが検出された場合、上記グループ用の上記通知内容を選択することを特徴としている。
【００８６】
上記の構成によれば、グループが検出された場合には見守り対象者個人ではなく見守り対象者が属するグループに応じた適切な通知が管理者になされる。
【００８７】
本発明の態様６に係る管理装置は、所定の場所に設置された検出装置によって検出された、携帯端末機の識別子と、上記検出装置に対する見守り対象者のアクションのパターンとを上記検出装置から受信する受信部と、受信された上記パターンに応じた通知内容を選択する選択部と、選択された上記通知内容の通知を上記見守り対象者の管理者に対して行う通知部とを備えていることを特徴としている。
【００８８】
上記の構成によれば、見守り対象者の意図が反映された適切な通知が管理者になされる。
【００８９】
本発明の態様７に係る見守りシステム は、管理装置と、所定の場所に設置されている検出装置とを備えているシステムであって、上記検出装置は、自機に固有の識別子を含む発信信号を発信する携帯端末機から発信された上記発信信号を受信する発信信号受信部と、受信された上記発信信号に含まれる上記識別子を検出する識別子検出部と、上記検出装置に対する見守り対象者のアクションを検出するアクション検出部と、検出された上記識別子および上記アクションのパターンを上記管理装置に送信する送信部とを備えており、上記管理装置は、上記検出装置から送信された上記識別子および上記アクションのパターンを受信する受信部と、受信された上記パターンに応じた通知内容を選択する選択部と、選択された通知内容の通知を上記見守り対象者の管理者に対して行う通知部とを備えていることを特徴としている。
【００９０】
上記の構成によれば、見守り対象者の意図が反映された適切な通知が管理者になされる。
【００９１】
本発明の各態様に係る検出装置は、コンピュータによって実現してもよく、この場合には、コンピュータを上記検出装置が備える各部（ソフトウェア要素に限る）として動作させることにより上記検出装置をコンピュータにて実現させる検出装置のプログラム（態様８）、およびそれを記録したコンピュータ読み取り可能な記録媒体も、本発明の範疇に入る。
【００９２】
本発明は上述した各実施形態に限定されるものではなく、請求項に示した範囲で種々の変更が可能である。異なる実施形態にそれぞれ開示された技術的手段を適宜組み合わせて得られる実施形態についても本発明の技術的範囲に含まれる。さらに、各実施形態にそれぞれ開示された技術的手段を組み合わせることによって、新しい技術的特徴を形成することができる。
【産業上の利用可能性】
【００９３】
本発明は、学校内外の各児童を見守るための児童見守りシステムとして幅広く利用できる。
【符号の説明】
【００９４】
１，１ａビーコンリーダ
２  ビーコン
３  サーバ
１１  ビーコン受信部
１２  ビーコンＩＤ検出部
１３  電波強度測定部
１４  個人特定部
１５  グループ検出部
１６  タッチ検出部
１７  通知内容選択部
１８  タッチ応答部
１９  通知実行部
２０  通信部
３１  通信部
３２  通知内容選択部
３３  通知実行部
１００、２００  児童見守りシステム２００
【図１】
2016218583.tif 000003
【図２】
2016218583.tif 000004
【図３】
2016218583.tif 000005
【図４】
2016218583.tif 000006
【図５】
2016218583.tif 000007
【図６】
2016218583.tif 000008
【図７】
2016218583.tif 000009
【図８】
2016218583.tif 000010